(57)【要約】  高圧装置における等方圧加圧処理のための積載物を取り扱うための設備及び方法が提供される。本設備は、第１の空間に配置された搬送ユニット（１１０）を備え、ここにおいて、搬送ユニットは、積載物を備える圧力容器を、積載物の加圧処理前には高圧装置の中へ、および積載物の加圧処理後には高圧装置から外へ、それぞれ水平搬送するように構成される。本設備は更に、第１の空間と第１の空間の下方に設けられた第２の空間との間で垂直に動作可能な昇降ユニット（１５０）を備え、ここにおいて、昇降ユニットは、それぞれ、積載物の加圧処理前には積載物を第２の空間から圧力容器の中へ上昇させ、積載物の加圧処理後には積載物を圧力容器から第２の空間に下降させるように構成される。
2019516562.tif 000002
【特許請求の範囲】
【請求項１】
高圧装置における等方圧加圧処理のための積載物を取り扱うための設備（１００）であって、
第１の空間に配置された搬送ユニット（１１０）と、ここにおいて、前記搬送ユニットは、前記積載物を備える圧力容器を、前記積載物の加圧処理前には前記高圧装置の中へ、および前記積載物の加圧処理後には前記高圧装置から外へ、それぞれ水平搬送するように構成されるものであり、
前記第１の空間と前記第１の空間の下方に設けられた第２の空間との間で垂直に動作可能な昇降ユニット（１５０）と、ここにおいて、前記昇降ユニットは、それぞれ、前記積載物の加圧処理前には前記積載物を前記第２の空間から前記圧力容器の中へ上昇させ、前記積載物の加圧処理後には前記積載物を前記圧力容器から前記第２の空間に下降させるように構成されるものである、
を備える、設備。
【請求項２】
前記搬送ユニットは、前記圧力容器が搬送されるように構成された少なくとも１つのトラック（１１５）を備える、請求項１に記載の設備。
【請求項３】
前記搬送ユニットは、前記少なくとも１つのトラック上で前記圧力容器を搬送するように構成された運搬ユニット（１３０）を更に備える、請求項２に記載の設備。
【請求項４】
前記搬送ユニットは対のトラックを備え、前記運搬ユニットは、前記対のトラック上を転動するように構成された複数対の車輪（１６０）を備える、請求項３に記載の設備。
【請求項５】
前記複数対の車輪は、垂直方向に前記運搬ユニットに弾性的に取り付けられている、請求項４に記載の設備。
【請求項６】
前記運搬ユニットは、少なくとも１対の車輪の垂直方向の移動をロックするように構成された少なくとも１つの第１のロック装置（１４０）を備える、請求項５に記載の設備。
【請求項７】
請求項１乃至６のいずれか一項に記載の設備と、
等方圧加圧処理のための積載物（１２０）と、
前記積載物を保持するための圧力容器（４００）と、
前記圧力容器内に保持された前記積載物の等方圧加圧処理のための高圧装置（３００）と
を備える、システム。
【請求項８】
前記圧力容器は、取り外し可能な底蓋（２１０）を備え、
前記積載物の加圧処理前に、
前記昇降ユニットは、前記積載物と共に前記底蓋を前記第２の空間から前記圧力容器の中へ上昇させるように構成され、
前記積載物の加圧処理後に、
前記昇降ユニットは、前記積載物と共に前記底蓋を前記圧力容器から前記第２の空間に下降させるように構成される、
請求項７に記載のシステム。
【請求項９】
前記底蓋を前記圧力容器にロックするように構成された少なくとも１つの第２のロック装置（１４５）を更に備える、請求項８に記載のシステム。
【請求項１０】
前記圧力容器は、前記圧力容器に固定されている上蓋（２０５）を更に備える、請求項７乃至９のいずれか一項に記載のシステム。
【請求項１１】
前記積載物の加圧処理前に、
前記運搬ユニットの前記複数対の車輪が、前記圧力容器の前記高圧装置の中への搬送後に前記高圧装置によって垂直方向に持ち上げられるように構成され、
前記積載物の加圧処理後に、
前記運搬ユニットの前記複数対の車輪が、前記圧力容器の前記高圧装置から外への搬送前に前記高圧装置によって垂直方向に下降されるように構成される、
請求項５に記載の設備を備える、請求項７乃至１０のいずれか一項に記載のシステム。
【請求項１２】
前記高圧装置の圧力媒体を加熱するように構成された少なくとも１つの炉要素と、
前記圧力媒体を誘導するように構成された少なくとも１つのダクトと、
のうちの少なくとも１つを備えるユニットを更に備え、
前記ユニットは、前記圧力容器の内壁に取り付けられている、請求項７乃至１１のいずれか一項に記載のシステム。
【請求項１３】
高圧装置における等方圧加圧処理のための積載物を取り扱うための方法（５００）であって、
前記積載物の加圧処理前に、
第１の空間の下方に設けられた第２の空間から前記第１の空間に設けられた圧力容器の中へ前記積載物を上昇させることと（５１０）、
前記圧力容器を前記高圧装置の中へ水平搬送することと（５２０）、
前記積載物の加圧処理後に、
前記圧力容器を前記高圧装置から外へ水平搬送することと（５３０）、
前記積載物を前記圧力容器から前記第２の空間に下降させることと（５４０）
を行うステップを備える、方法。
【請求項１４】
少なくとも１つのトラック上で前記高圧装置の中及び外それぞれへ前記圧力容器を水平搬送するステップを更に備える、
請求項１３に記載の方法。
【請求項１５】
前記積載物の加圧処理前に、
前記積載物と共に底蓋を前記第２の空間から前記圧力容器の中へ上昇させることと、
前記底蓋を前記圧力容器に留めることと、
前記積載物の加圧処理後に、
前記圧力容器から前記底蓋を外すことと、
前記積載物と共に前記底蓋を前記圧力容器から前記第２の空間に下降させることと
を行うステップを更に備える、請求項１３又は１４に記載の方法。
【請求項１６】
前記高圧装置は搬送ユニットを備え、次に前記搬送ユニットは、複数対の車輪を備える運搬ユニットを備え、前記方法は、
前記積載物の加圧処理前に、
前記圧力容器の前記高圧装置の中への搬送後に前記高圧装置によって垂直方向に前記複数対の車輪を持ち上げることと、
前記積載物の加圧処理後に、
前記圧力容器の前記高圧装置から外への搬送前に前記高圧装置によって垂直方向に前記複数対の車輪を下降させることと
を行うステップを更に備える、請求項１３乃至１５のいずれか一項に記載の方法。
【発明の詳細な説明】
【技術分野】
【０００１】
本発明は、高圧処理の分野に関する。特に、本発明は、等方圧加圧処理のための積載物を取り扱うための設備に関する。また、本発明は、高圧処理のための積載物を取り扱うための方法に関する。
【背景技術】
【０００２】
異なるタイプの物品、構成部品、及び／又は要素の製造、処理、及び／又は加工のために、等方圧プレスが使用され得る。等方圧プレスは通常、積載物すなわち物品が積載空間で加圧される炉室内の温度を高めるための電気加熱要素が設けられた炉を備える。
【０００３】
高圧プレスの高圧加圧動作中、圧力容器の圧力室に収容されている圧力媒体は、非常に高圧に加圧される。圧力媒体は、しばしば流体のガス状媒体、例えばアルゴンガスである。高圧プレスが圧力容器内の内容物のすべての側面に等しい圧力をかける場合、プレスは等方圧プレスと呼ばれる。等方圧加圧プロセス中の圧力媒体の温度に依存して、このプロセスは、熱間等方圧加圧すなわちＨＩＰ（以下、ＨＩＰと称する）と呼ばれることができる。
【０００４】
ＨＩＰは、幅広い範囲の金属及び／又はセラミックスから作られた構成部品の製造のための競争力のある実証された製造プロセスとして過去数十年間に確立されており、ここにおいて、それら構成部品は、航空宇宙、海洋、エネルギー、及び医療分野のような多くの産業分野で使用されている。ガス圧力は、等方特性及び非常に高度の材料の緻密化を提供するように全方向に均一に作用する。ＨＩＰは、例えば、鋳造物の耐用年数及び強度、特に疲労強度を実質的に増加させるために、例えばタービン翼のような鋳造物における多孔性の排除を達成するのに使用される。ＨＩＰ技術は更に、コンテナにおける金属粉の圧縮のために使用され得る（粉末冶金ＨＩＰ又はＰＭ ＨＩＰ）。
【０００５】
ＨＩＰは多くの利点を提供し、鍛造、鋳造、及び機械加工のような従来のプロセスに対する実行可能かつ高性能な代替物及び／又は補足物となっている。ＨＩＰ技術は、コンテナにおける金属粉の圧縮のために使用され得る（粉末冶金ＨＩＰ又はＰＭ ＨＩＰ）。
【０００６】
等方圧加圧によって益々大きい物品、構成部品、及び／又は要素を製造、処理、及び／又は加工することが望まれることが理解されよう。例えば、原子力産業では、小型及び中型の原子炉のための構成部品及び／又は要素を提供する必要があり、石油及びガス産業では、ポンプ、弁、及びマニホールドシステムのような比較的大きい構成部品を提供する必要性が高まっている。結果として、比較的大きい物品、構成部品、及び／又は要素を積載物として圧力容器の中へ提供するとき、積載物の総重量はしばしば多大なものである。したがって、積載物の取扱いに関連する要件は要求の厳しいものである。更に、積載物及び／又は圧力容器は、比較的高いコストと関連することもあり、それは積載物の安全かつ確実な取扱いをより更に必要とする。
【０００７】
したがって、積載物の加圧処理に関連する、積載物の安全で確実かつ利便的な搬送動作を提供することができる設備が望まれている。
【発明の概要】
【０００８】
本発明の目的は、積載物の加圧処理に関連する積載物の安全で確実かつ利便的な取扱い動作を達成する設備を提供することである。
【０００９】
本目的及び他の目的が、独立請求項に規定される特徴を有する設備及び方法を提供することによって達成される。好ましい実施形態が従属請求項に規定される。
【００１０】
したがって、本発明の第１の態様によれば、高圧装置における等方圧加圧処理のための積載物を取り扱うための設備が提供される。本設備は、第１の空間に配置された搬送ユニットを備える。搬送ユニットは、積載物を備える圧力容器を、積載物の加圧処理前には高圧装置の中へ、および積載物の加圧処理後には高圧装置から外へ、それぞれ水平搬送するように構成される。本設備は更に、第１の空間と、第１の空間の下方に設けられた第２の空間との間で垂直に動作可能な昇降ユニットを備える。昇降ユニットは、積載物の加圧処理前に、積載物を第２の空間から圧力容器の中へ上昇させるように構成される。昇降ユニットは更に、それぞれ、積載物の加圧処理後に、積載物を圧力容器から第２の空間に下降させるように構成される。
【００１１】
本発明の第２の態様によれば、高圧装置における等方圧加圧処理のための積載物を取り扱うための方法が提供される。本方法は、積載物の加圧処理前に、第１の空間の下方に設けられた第２の空間から第１の空間に設けられた圧力容器の中へ積載物を上昇させることと、圧力容器を高圧装置の中へ水平搬送することとを行うステップを備える。本方法は更に、積載物の加圧処理後に、圧力容器を高圧装置から外へ水平搬送することと、積載物の加圧処理後に積載物を圧力容器から第２の空間に下降させることとを行うステップを備える。
【００１２】
このように、本発明は、高圧装置における等方圧加圧処理のための積載物を取り扱う考えに基づいている。より具体的には、積載物の加圧処理前に、昇降ユニットが、積載物を第２の空間から第１の空間にある圧力容器の中へと垂直上方に上昇させるように構成される。その後、搬送ユニットが、積載物を備える圧力容器を高圧装置の中へ水平搬送するように構成される。同様に、積載物の加圧処理後に、搬送ユニットは、積載物を備える圧力容器を高圧装置から外へ水平搬送するように構成される。その後、昇降ユニットは、積載物を第１の空間にある圧力容器から第２の空間へ垂直下方に下降させるように構成される。換言すれば、積載物を備える圧力容器は、積載物の加圧処理の前及び後に、それぞれ高圧装置の中及び外へ水平面で搬送される。圧力容器が高圧装置の中へ搬送される前に、それは、垂直に動作可能である昇降ユニットによって第１の空間の下方の第２の空間から垂直に上昇される。同様に、圧力容器が高圧装置から外へ搬送された後に、それは、昇降ユニットによって第１の空間から第２の空間に垂直に下降される。
【００１３】
高圧装置における等方圧加圧処理のための積載物を取り扱うための設備が提供される。「積載物」とはここでは、高圧処理のための実質的にいかなる物品、構成部品、及び／又は要素も意味する。
【００１４】
本設備は、第１の空間に配置された搬送ユニットを備える。「搬送ユニット」という用語はここでは、比較的大きく及び／又は重くてもよい物体（単数又は複数）の搬送に好適なユニットを意味する。
【００１５】
搬送ユニットは、積載物を備える圧力容器を、積載物の加圧処理前には高圧装置の中へ、および積載物の加圧処理後には高圧装置から外へ、それぞれ水平搬送するように構成される。
【００１６】
本設備は更に、第１の空間と、第１の空間の下方に設けられた第２の空間との間で垂直に動作可能な昇降ユニットを備える。「昇降ユニット」とはここでは、比較的大きく及び／又は重くてもよい物体の上昇及び／又は下降に好適な（貨物）エレベータ、リフト、又はホイスト等を意味する。
【００１７】
昇降ユニットは、積載物の加圧処理前に、積載物を第２の空間から圧力容器の中へ上昇させるように構成される。換言すれば、昇降ユニットは、第２の空間から第１の空間及び第１の空間に設けられた圧力容器の中へ垂直上方に積載物を持ち上げる、上昇させる、取り扱う、及び／又は搬送するように構成され得る。昇降ユニットは更に、積載物の加圧処理後に、積載物を圧力容器から第２の空間に下降させるように構成される。換言すれば、昇降ユニットは、第１の空間に設けられた圧力容器から第２の空間に垂直下方に積載物を下降させる及び／又は搬送するように構成され得る。したがって、加圧処理前に、昇降ユニットは、圧力容器の中へ積載物を上昇させるように構成され得、次に圧力容器は積載物を受け取るように構成される。同様に、加圧処理後に、圧力容器は、昇降ユニットに積載物を解放するように構成され得、次に昇降ユニットは積載物を下降させるように構成される。
【００１８】
本発明は、設備及び方法が、加圧処理のための積載物の安全で確実かつ利便的な取扱い及び／又は搬送をもたらすという点で有利である。垂直の積載物搬送、すなわち垂直軸に沿った積載物の上昇及び／又は下降のための昇降ユニットの使用が、従来技術における他の解決法と比較すると有利であることが理解されよう。例えば、積載物搬送のための天井クレーンの使用は、２次元又は３次元での積載物の移動をもたらすことができるが、その結果として、積載物の不安定で振動する搬送をもたらすこともある。この種の装置は、装置を操作する人員／スタッフ、及び／又は装置の近傍にいるその他の者にとって危険であり得ることに留意すべきである。更に、積載物は、装置による不安定及び／又は振動する搬送による損傷に影響されやすいこともある。これに対して、本発明の昇降ユニットは、積載物の１次元の上昇／下降によって安全かつ安定した動作を提供し、それによってスタッフ及び／又は積載物自体の前述の欠点及び危険性を克服する。
【００１９】
本発明は更に、水平に動作可能である搬送ユニットが、積載物の安全で確実かつ利便的な取扱い及び／又は搬送を提供するという点で有利である。多次元で動作可能であり得る従来技術における他の搬送手段と比較して、本発明の搬送ユニットは、堅牢な１次元（水平）搬送を提供する。圧力容器を高圧装置の中へ水平搬送するという搬送ユニットによって提供される能力が、積載物を包含する比較的大きい及び／又は重い圧力容器を考慮すると特に重要であることが理解されよう。したがって、本発明は、先行技術に係る、スタッフ及び／又は機器に関係する安全でない搬送動作の危険を克服することができる。
【００２０】
本発明は更に、本設備が、一方では積載物の取扱いと、他方では積載物を備える圧力容器の取扱いとを利便的かつ効率的に分割することができるという点で有利である。換言すれば、本設備の昇降ユニットが積載物の取扱い（搬送、上昇）を提供することができるのに対して、本設備の搬送ユニットは、積載物が圧力容器内に包含されている圧力容器の搬送を提供することができる。換言すれば、本発明の昇降ユニットが、第２の空間から及び／又は第２の空間に積載物を上昇及び／又は下降させるように構成される一方、圧力容器は、垂直方向に第２の空間の上方に設けられた第１の空間に留まり得る。本設備は、これによって、積載物の取扱いに関連するコスト及び／又は時間を節約することができる。
【００２１】
本発明の一実施形態によれば、搬送ユニットは、その上で圧力容器が搬送されるように構成された少なくとも１つのトラックを備える。「トラック」とは、ここでは、レール又は線路等のような実質的にいかなる種類の誘導手段も意味する。本実施形態は、少なくとも１つのトラックが、トラックに沿った圧力容器の搬送中に高度の安定性及び安全性を提供するという点で有利である。圧力容器の重量が比較的高いこともあること、及び／又は圧力容器のサイズが比較的大きいこともあることを考慮すると、本実施形態が特に有利であることが理解されよう。
【００２２】
本発明の一実施形態によれば、搬送ユニットは更に、少なくとも１つのトラック上での圧力容器の搬送のために構成された運搬ユニットを備える。「運搬ユニット」とはここでは、圧力容器を搬送するのに好適なワゴンのような又は台車のようなユニットを意味し、ここにおいて、圧力容器は比較的重い及び／又は大きくてもよい。本実施形態は、運搬ユニットが高圧装置の中及び外それぞれへ圧力容器を搬送する更により安定した方法を提供することができるという点で有利である。
【００２３】
本発明の一実施形態によれば、搬送ユニットは対のトラックを備え、運搬ユニットは対のトラック上を転動するように構成された複数対の車輪を備える。換言すれば、本実施形態では、搬送ユニットは、１つ又は複数対の車輪（輪列／車輪ユニット）がその上を転動するように配置された鉄道線路（線路）に類似した対のトラックを備え得る。
【００２４】
本発明の一実施形態によれば、複数対の車輪は、垂直方向に運搬ユニットに弾性的に取り付けられている。「弾性的に取り付けられる」という用語はここでは、対の車輪が１つ又は複数の弾性手段を介して運搬ユニットに取り付けられることを意味する。本実施形態は、複数対の車輪を弾性的に取り付けることが、圧力容器及び／又は積載物のより安全な搬送を提供することができるという点で有利である。本実施形態は更に、積載物の加圧処理前に圧力容器を高圧装置の中へ挿入し、これによって高圧装置が、例えばヨークを介して、下方からそれら対の車輪を押していき得、その結果、圧力容器及び積載物を保持している運搬ユニットが高圧装置内に収容されることができることを考えると有利である。
【００２５】
本発明の一実施形態によれば、運搬ユニットは、垂直方向の少なくとも１対の車輪の移動をロックするように構成された少なくとも１つのロック装置を備える。本実施形態は、運搬ユニットを垂直方向のいかなる移動もなく水平に搬送する可能性を与え、それによって運搬ユニットの搬送中に運搬ユニットと第１の空間の底部との間に比較的一定の隙間を維持するという点で有利である。
【００２６】
本発明の一実施形態によれば、先の実施形態のいずれか１つに係る設備を備えるシステムが提供される。本システムは、等方圧加圧処理のための積載物と、積載物を保持するための圧力容器と、圧力容器内に保持された積載物の等方圧加圧処理のための高圧装置とを備える。
【００２７】
本発明の一実施形態によれば、圧力容器は、取り外し可能な底蓋を備える。積載物の加圧処理前に、昇降ユニットは、積載物と共に底蓋を第２の空間から圧力容器の中へ上昇させるように構成される。積載物の加圧処理後に、昇降ユニットは、積載物と共に底蓋を圧力容器から第２の空間に下降させるように構成される。本実施形態は、本システムが、取り外し可能な底蓋によって圧力容器をボトムローディングする利便的かつ効率的な方式を提供するという点で有利である。換言すれば、本システムは、取り外し可能な底蓋によって下方から圧力容器の中へ積載物を挿入する。更に、本実施形態は、システムの昇降ユニットが、圧力容器の中への挿入中に底蓋が積載物と共に上昇され、圧力容器からの取り出し中に積載物と共に下降され得るので、圧力容器の中及び外それぞれへ積載物を安全かつ確実に挿入することができるという点で有利である。
【００２８】
本発明の一実施形態によれば、本システムは更に、底蓋を圧力容器にロックするように構成された少なくとも１つの第２のロック装置を備える。本実施形態は、積載物を下方から圧力容器の中へ挿入した後に、取り外し可能な底蓋が利便的かつ安全に圧力容器にロックされることができるという点で有利である。
【００２９】
本発明の一実施形態によれば、圧力容器に固定されている上蓋を更に備える圧力容器が提供される。本実施形態は、圧力容器に取り外し可能に取り付けられ得る上蓋と比較して、固定された上蓋が、上蓋と圧力容器との間により確実な密封を提供することができるという点で有利である。その結果として、本実施形態は、高圧装置の動作中に、より安全な動作及び／又はより高い圧力を提供することができる。
【００３０】
本発明の一実施形態によれば、前述の実施形態に係るシステムが提供される。積載物の加圧処理前に、運搬ユニットの複数対の車輪は、圧力容器を高圧装置の中へ搬送した後に高圧装置によって垂直方向に持ち上げられるように構成される。更に、積載物の加圧処理後に、運搬ユニットの複数対の車輪は、圧力容器を高圧装置から外へ搬送する前に高圧装置によって垂直方向に下降されるように構成される。例えば１つ又は複数のアクチュエータによって、運搬ユニットが高圧装置の中へ搬送（移動）されたときに、車輪は活発に上昇され得る。同様に、運搬ユニットが高圧装置から外へ搬送（移動）される前に、車輪は活発に下降され得る。代替的に、運搬ユニットの弾性的に取り付けられた車輪は、積載物の加圧処理前に高圧装置の中へ圧力容器を搬送した後に、高圧装置からの力によって付勢され得、その結果、車輪が持ち上げられる。同様に、積載物の加圧処理後に、高圧装置から外へ圧力容器を搬送する前に車輪は下降され得る。本実施形態は、圧力容器内に保持された積載物が、運搬ユニットから圧力容器を取り出す必要なしに、運搬ユニット上で高圧装置の中及び外それぞれへ利便的に搬送されることができるという点で有利である。その結果として、本実施形態は、高圧装置における積載物の時間効率及び／又はコスト効率の良い処理につながることができる。
【００３１】
本発明の一実施形態によれば、本システムは更に、高圧装置の圧力媒体を加熱するように構成された少なくとも１つの炉要素と、圧力媒体を誘導するように構成された少なくとも１つのダクトとのうちの少なくとも１つを備えるユニットを備え、ここにおいて、本ユニットは、圧力容器の内壁に取り付けられる。「炉要素」という用語はここでは、圧力容器の内部に存在する圧力媒体を加熱するのに好適な実質的にいかなるデバイス、ユニット、又は要素等も意味する。「ダクト」という用語はここでは、圧力容器の内部に存在する圧力媒体を誘導するのに好適な実質的にいかなる流路、誘導要素、又は配管等も意味する。本ユニットが圧力容器の内壁に取り外し不可能でも取り付けられてもよいことが理解されよう。したがって、本ユニットは、圧力容器に取り付けられたままでもよく、すなわち、それぞれ処理前又は処理後の圧力容器からの積載物の挿入中又は取り出し中に、圧力容器から取り外される必要はない。それゆえ、積載物が圧力容器から取り出される前に炉（単数又は複数）及び／又はダクト（単数又は複数）が取り外される必要がある装置と比較して、本実施形態は、高圧装置による更により時間効率及び／又はコスト効率の良い動作に寄与するという点で有利である。
【００３２】
本発明の一実施形態によれば、本方法は更に、少なくとも１つのトラック上で高圧装置の中及び外のそれぞれへ圧力容器を搬送するステップを備える。
【００３３】
本発明の一実施形態によれば、本方法は更に、積載物の加圧処理前に、積載物と共に底蓋を第２の空間から圧力容器の中へ上昇させることと、底蓋を圧力容器に留めることとを行うステップを備える。同様に、積載物の加圧処理後に、本方法は更に、底蓋を圧力容器から外し、積載物と共に底蓋を圧力容器から第２の空間に下降させることとを行うステップを備える。
【００３４】
本発明の一実施形態によれば、高圧装置は、搬送ユニットを備える。次に搬送ユニットは、複数対の車輪を備える運搬ユニットを備える。本方法は、積載物の加圧処理前に、圧力容器が高圧装置の中へ搬送された後に高圧装置によって垂直方向に複数対の車輪を持ち上げるステップを備える。同様に、積載物の加圧処理後に、本方法は、圧力容器を高圧装置から外へ搬送する前に高圧装置によって垂直方向に複数対の車輪を下降させるステップを備える。
【００３５】
本発明の一実施形態によれば、少なくとも部分的に上蓋内に冷却装置が設けられる。本実施形態は、（固定された）上蓋が、圧力容器の効率的な冷却のための冷却装置を保持することができるという点で有利である。動作中に圧力容器内の暖かい媒体が上昇し、冷却装置（例えば、水道管を含む）によって効率的に冷却されるので、上蓋において圧力容器冷却を行うことは非常に有益であることが理解されよう。
【００３６】
本設備を参照して上述された特定の実施形態及び任意の追加の特徴が、同様に適用可能であり、本発明の第２の態様に係る方法と組合せ可能であることが理解されよう。
【００３７】
本明細書では、等方圧加圧処理のためである積載物への言及がなされているが、積載物が、本発明の１つ又は複数の実施形態にしたがって、等方圧加圧処理以外のタイプ（単数又は複数）の加圧処理を意図してもよいことが理解されるべきである。また、本明細書では等方圧加圧処理のためである高圧装置への言及がなされているが、本発明の１つ又は複数の実施形態にしたがって、他のタイプの高圧装置が企図されてもよいことが理解されるべきである。
【００３８】
また、本明細書における積載物の搬送の説明は、積載物及び／又は圧力容器の搬送と解釈されてもよい。すなわち、本明細書における積載物の搬送の説明は、積載物及び圧力容器の両方の搬送、又は積載物（場合によっては積載物のみ）の搬送、又は圧力容器（場合によっては圧力容器のみ）の搬送と解釈されてもよい。
【００３９】
本発明の更なる目的、特徴、及び利点は、下記の詳細な開示、図面、及び添付の特許請求の範囲を参酌すると明らかになるであろう。当業者は、本発明の異なる特徴が、下記で説明される実施形態以外の実施形態を作り出すように組み合わせできることを理解するであろう。
【００４０】
本発明が、本発明の好ましい一実施形態を示す添付図面を参照して、より詳細にここから説明される。
【図面の簡単な説明】
【００４１】
【図１ａ】本発明の一実施形態に係る設備の概略的な例示の図。
【図１ｂ】本発明の一実施形態に係る設備の概略的な例示の図。
【図２】本発明の一実施形態に係る、高圧装置における等方圧加圧処理のための積載物を取り扱うための昇降ユニットの動作の概略的な例示の図。
【図３】本発明の一実施形態に係る、高圧装置における等方圧加圧処理のための積載物の挿入の概略的な例示の図。
【図４】本発明の一実施形態に係る、高圧装置の断面の概略的な例示の図。
【図５】本発明の一実施形態に係る方法のフローチャート。
【詳細な説明】
【００４２】
以下の説明では、本発明が、高圧装置における等方圧加圧処理のための積載物を取り扱うための設備を参照して説明される。
【００４３】
図１ａは、高圧装置３００における等方圧加圧処理のための積載物１２０を取り扱うための設備１００を概略的に示す。図１ａに円筒として示されている積載物１２０は、高圧装置３００において高圧処理を受けることになる１つ又は複数の要素、物品、構成部品等を備え得る。積載物１２０は、円筒形の圧力容器４００によって囲まれており、すなわち、圧力容器４００は、積載物１２０を保持している。圧力容器４００は、最大４.５ｍの直径を有し得、積載物１２０が設けられ得るゾーンの直径は、最大４ｍであり得る。圧力容器４００の重量は、約３０００００キログラムであり得る。高圧装置３００の圧力容器４００は、圧力媒体を供給及び排出するための１つ又は複数のポート、入口、及び出口のような手段（図示せず）を備え得る。圧力媒体は、処理されることになる物品に関して低い化学的親和性を有する液体又はガス状媒体であり得る。
【００４４】
設備１００は、搬送ユニット１１０を備える。ここで、搬送ユニット１１０は、高圧装置３００の中へとつながる対の平行トラック１１５を備え、そのトラック１１５の上を圧力容器が搬送されるように構成される。搬送ユニット１１０は更に、対のトラック１１５上の積載物１２０及び圧力容器４００を搬送するように構成された運搬ユニット１３０を備える。運搬ユニット１３０は、対のトラック１１５上を転動するように構成された２対の車輪１６０を備える。運搬ユニット１３０は、（比較的重い）圧力容器４００及び／又は積載物１２０のより安全及び／又はより安定した搬送のために、多数対の車輪１６０を備えてもよいことが理解されよう。車輪１６０は、垂直方向に運搬ユニット１３０に弾性的に取り付けられ得る。例えば、車輪１６０は、１つ又は複数のコイルを介して運搬ユニット１３０に取り付けられ得る。したがって、下方から車輪１６０に加えられる力が、車輪１６０を、運搬ユニット１３０の、例えば車輪ハウジング又はキャビティへと押し入れ得る。
【００４５】
図１ｂにおいて、運搬ユニット１３０上に積載物１２０を保持している圧力容器４００は、積載物１２０の加圧処理前に、搬送ユニットによって高圧装置３００の中へ（図１ｂの右側に）水平搬送されている。したがって、図１ｂの圧力容器４００及び積載物１２０の位置で、積載物１２０は加圧処理を受ける。積載物１２０の加圧処理後に、積載物１２０を保持している圧力容器４００は、搬送ユニット１１０によって高圧装置３００から外へ（図１ｂの左側に）水平搬送される。
【００４６】
図２は、高圧装置３００における等方圧加圧処理のための積載物１２０を取り扱うための設備１００の側面図を概略的に示す。より具体的には、積載物１２０は、絶縁要素（ブロック）１２５上に配置され、次に絶縁要素（ブロック）１２５は、底蓋２１０上に配置されている。更に、底蓋２１０は、昇降ユニット１５０の底面プレート１９０上に配置される。この例示的な実施形態では、圧力設備１００の概略的に示された昇降ユニット１５０は、第１の空間１７０と第１の空間１７０の下方に設けられた第２の空間１８０との間で垂直に動作可能である。昇降ユニット１５０は、積載物１２０の加圧処理前に、積載物１２０を第２の空間１８０から圧力容器４００（理解を高めるために図示せず）の中へ上昇させるように構成される。より具体的には、積載物１２０の加圧処理前に、昇降ユニット１５０は、積載物１２０、絶縁要素１２５、及び底蓋２１０を同時に上昇させるように構成され得、ここにおいて、これらの要素又は構成部品は、スタックとして配置され得る。同様に、昇降ユニット１５０は、積載物の加圧処理後に、積載物１２０、絶縁要素１２５、及び／又は底蓋２１０を圧力容器４００から第２の空間１８０に下降させるように構成される。
【００４７】
図３は、昇降ユニット１５０による積載物１２０の圧力容器４００の中への上昇中の圧力容器４００及び運搬ユニット１３０の断面を概略的に示す。昇降ユニット１５０は、底面プレート１９０を上昇及び下降させるために昇降ユニット１５０の底面プレート１９０に動作可能に結合されたモータ２２０を備える。より具体的には、モータ２２０は、底面プレート１９０を上昇及び／又は下降させるように構成されたねじ付きのロッド２３０ａ、ｂに動作可能に結合される。より多くのロッド（例えば、矩形（例えば、正方形）の底面プレートの縁部に配置された４本のロッド）が存在してもよいこと、及び２本のロッド２３０ａ、ｂが理解を高めるために一例として開示されていることが理解されよう。
【００４８】
搬送ユニットは、対のトラック１１５ａ、ｂを備え、運搬ユニット１３０は、対のトラック１１５ａ、ｂ上を転動するように構成された対の車輪１６０ａ、ｂを備える。運搬ユニット１３０は更に、垂直方向の対の車輪１６０の移動をロックするように構成された第１のロック装置１４０を備え得る。運搬ユニット１３０上の圧力容器４００の高圧装置３００の中及び高圧装置３００から外それぞれへの搬送中に、車輪１６０は、車輪１６０のいかなる垂直移動も阻止されるように、第１のロック装置１４０によってロックされることができる。
【００４９】
圧力容器４００は、圧力容器４００に固定された上蓋２０５を備える。上蓋２０５は、圧力容器を冷却するように配置された冷却装置（図示せず）を備え得る。冷却装置は、冷却のための冷媒が提供され得る流路又はチューブを備え得る。冷媒は、好ましくは水であるが、他の冷媒もまた企図され得る。
【００５０】
圧力容器４００は更に、取り外し可能である底蓋２１０を備える。この例示的な実施形態では、底蓋２１０は、底面プレート１９０と積載物１２０との間に設けられ、すなわち、昇降ユニット１５０は、底蓋２１０と共に積載物１２０を上昇及び／又は下降させるように構成される。更に、及び図３に例示されるように、底蓋２１０と積載物１２０との間に絶縁要素（ブロック）１２５が設けられ得る。
【００５１】
運搬ユニット１３０は、積載物１２０を圧力容器４００の中へ挿入した後に、底蓋２１０を運搬ユニット１３０にロックするように構成された第２のロック装置１４５を備える。同様に、第２のロック装置１４５はまた、圧力容器４００から積載物１２０を下降させる前に、底蓋２１０を運搬ユニット１３０からロック解除するようにも構成される。第２のロック装置１４５は、積載物１２０が圧力容器４００の中へ挿入されたときに底蓋２１０周りに嵌合するように配置された円筒の形態を有し得る。一例として、円筒形の第２のロック装置１４５は、その周囲に（対称的に）分配された複数のロックユニットを備えてもよく、それらは底蓋２１０のそれぞれに配置されたロックユニットとロックするように構成され。
【００５２】
圧力容器４００が、処理されることになる積載物１２０を受け取り保持するための炉室１３２を更に画定することが理解されよう。炉室１３２は、加熱段階中にエネルギーを節約する理由で断熱ケーシング（図示せず）によって囲まれ得る。
【００５３】
圧力容器４００は更に、圧力容器４００の炉室１３２の垂直壁に隣接して及び垂直に配置されたダクト１７０ａ、ｂを備える。圧力容器４００に取り付けられたダクト１７０ａ、ｂは、積載物１２０の加圧処理中の圧力媒体のための導管としての役割をする。ダクト１７０ａ、ｂは単に概略的に示されているだけであり、ダクトの構成が図３に示されているものとは異なってもよいことが理解されよう。
【００５４】
図４は、積載物１２０を備える圧力容器４００が運搬ユニット１３０上でその中へ搬送された高圧装置３００の断面を概略的に示す。ファン３０が、高圧装置３００の積載区画１３５において圧力媒体を循環させるために設けられている。理解を高めるために、高圧装置３００の動作のためのいくつかの構成部品、要素等が省略されていることが理解されよう。
【００５５】
高圧装置３００は、上部（上方部）ヨーク１８０ａ及び下部（下方部）ヨーク１８０ｂを備え、これら各々は、断面が半円表面の形態を有する。ヨーク１８０ａ、ｂは、高圧装置３００のそれぞれの端部に配置され、圧力容器４００が設けられる内部矩形空間を、装置３００の柱３１０と共に形成する。柱３１０及びヨーク１８０ａ、ｂは、高圧装置３００の建設においてプレストレスを与えるためにいくつかの層でワイヤで巻かれている。
【００５６】
運搬ユニット１３０によって高圧装置３００の中へ圧力容器４００を搬送（挿入）した後、下部ヨーク１８０ｂは、下方から運搬ユニット１３０の対の車輪１６０を押していくように構成される。したがって、下部ヨーク１８０ｂは、車輪１６０が運搬ユニット１３０の車輪ハウジング（又はキャビティ）へと押し入れられるように、弾性的に取り付けられた対の車輪１６０ａ、ｂに垂直の力を加える。車輪取付け部１７５は、制動要素及び／又はコイル要素を備え得る。本発明の高圧装置３００が、高圧装置３００による積載物１２０の加圧処理中に高圧装置３００内に、圧力容器４００及び積載物１２０を保持している運搬ユニット１３０を収容することを可能にすることが理解されよう。
【００５７】
同様に、積載物１２０の加圧処理後に、運搬ユニット１３０の車輪１６０は、高圧装置３００から外へ圧力容器４００を搬送する前に下降されるように構成される。より具体的には、下部ヨーク１８０ｂによって弾性的に付勢された車輪１６０は、圧力容器４００が高圧装置３００から外へ搬送される前に消勢されるようになる。したがって、運搬ユニット１３０の車輪１６０は、圧力容器４００の高圧装置３００から外への搬送中に、対のトラック１１５上を転動するように構成される。
【００５８】
図５は、本発明の一実施形態に係る方法５００のフローチャートである。積載物の加圧処理前に、本方法５００は、第１の空間の下方に設けられた第２の空間から第１の空間に設けられた圧力容器の中へ積載物を上昇させるステップ５１０と、圧力容器を高圧装置の中へ水平搬送するステップ５２０とを備える。第２の空間から積載物を上昇させるステップ５１０は、積載物の加圧処理前に、積載物と共に底蓋を第２の空間から圧力容器の中へ上昇させるステップと、底蓋を圧力容器に留めるステップとを備え得ることが理解されよう。
【００５９】
積載物の加圧処理後に、本方法５００は、圧力容器を高圧装置から外へ水平搬送するステップ５３０と、積載物の加圧処理後に積載物を圧力容器から第２の空間に下降させるステップ５４０とを備える。積載物を圧力容器から第２の空間に下降させるステップ５４０が更に、積載物の加圧処理後に、圧力容器から底蓋を外すことと、積載物と共に底蓋を圧力容器から第２の空間に下降させることとを備え得ることが理解されよう。
【００６０】
更に、本方法５００は、圧力容器を高圧装置の中へ搬送した後及び積載物の加圧処理前に、高圧装置によって垂直方向に複数対の車輪を持ち上げるステップを備え得る。同様に、積載物の加圧処理後に、本方法は、圧力容器を高圧装置から外へ搬送する前に高圧装置によって垂直方向に複数対の車輪を下降させるステップを備え得る。
【００６１】
本発明はその特定の例示的な実施形態を参照して説明されているが、多くの異なる変更物及び修正物等が当業者には明らかになるであろう。それゆえ、説明された実施形態は、添付の特許請求の範囲によって規定される本発明の範囲を限定することを意図していない。例えば、任意のサイズ及び／又は数のユニット若しくはデバイス等は、説明されているものとは異なってもよい。
【図１ａ】
2019516562.tif 000003
【図１ｂ】
2019516562.tif 000004
【図２】
2019516562.tif 000005
【図３】
2019516562.tif 000006
【図４】
2019516562.tif 000007
【図５】
2019516562.tif 000008
【国際調査報告】
2019516562.tif 000009
2019516562.tif 000010
2019516562.tif 000011